(57)【要約】【課題】無用な騒音の発生や、エネルギーの消費を抑制し、効率的にプレ乾燥することができる洗濯乾燥機を提供する。【解決手段】洗濯水を溜める水槽２と、水槽２内に回転可能に配設された回転槽４と、回転槽４を駆動するモータ９と、水槽２の下部に設けられた排水口１７と、洗濯物を乾燥させるための乾燥手段と、温風を回転槽内に送風する送風手段２０と、洗い、すすぎ、脱水、乾燥の一連の工程の洗濯乾燥動作を制御する制御手段２５と、を備え、制御手段２５は、洗い工程に先立ち乾燥手段により回転槽４内の洗濯物に温風を送風するプレ乾燥工程を有し、プレ乾燥工程時の送風手段２０の回転数を、洗濯から乾燥まで連続的に行う場合の乾燥工程の送風手段２０の回転数よりも低く設定する。【選択図】図２
2018042595.tif 000002
【特許請求の範囲】
【請求項１】
洗濯水を溜める水槽と、前記水槽内に回転可能に配設された回転槽と、前記回転槽を駆動するモータと、前記水槽の下部に設けられた排水口と、洗濯物を乾燥させるための乾燥手段と、温風を前記回転槽内に送風する送風手段と、洗い、すすぎ、脱水、乾燥の一連の工程の洗濯乾燥動作を制御する制御手段と、を備え、
前記制御手段は、洗い工程に先立ち前記乾燥手段により前記回転槽内の洗濯物に温風を送風するプレ乾燥工程を有し、前記プレ乾燥工程時の前記送風手段の回転数を、洗濯から乾燥まで連続的に行う場合の乾燥工程の前記送風手段の回転数よりも低く設定することを特徴とする洗濯乾燥機。
【請求項２】
洗濯水を溜める水槽と、前記水槽内に回転可能に配設された回転槽と、前記回転槽を駆動するモータと、前記水槽の下部に設けられた排水口と、洗濯物を乾燥させるための乾燥手段と、温風を回転槽内に送風する送風手段と、洗い、すすぎ、脱水、乾燥の一連の工程の洗濯乾燥動作を制御する制御手段と、を備え、
前記制御手段は、洗い工程に先立ち前記乾燥手段により前記回転槽内の洗濯物に温風を送風するプレ乾燥工程を有し、前記プレ乾燥工程時の前記送風手段の回転数を、乾燥工程のみを単独に行う場合の前記送風手段の回転数と略同じに設定することを特徴とする洗濯乾燥機。
【発明の詳細な説明】
【技術分野】
【０００１】
本発明は、洗濯物等を加熱し、ダニなどを除去する洗濯乾燥機に関する。
【背景技術】
【０００２】
従来の洗濯乾燥機は、洗濯物を加熱し乾燥させる機能を有しており、洗濯から乾燥まで連続的に行う運転方法に加え、所定の温度に洗濯物を昇温させ、ダニなどを除去するプレ乾燥工程を行ってから、洗濯工程を行うことで、洗濯物からダニの死骸を効率よく除去する構成をとっている（例えば、特許文献１参照）。
【先行技術文献】
【特許文献】
【０００３】
【特許文献１】実開平３−１２８０７８号公報
【発明の概要】
【発明が解決しようとする課題】
【０００４】
しかしながら、前記従来の構成では、風量センサーの風量検出結果に応じて運転条件を制御していたため、ダニなどを除去するプレ乾燥工程を最適に実施することができなかった。これは、乾いた洗濯物を昇温させる場合と、湿った洗濯物を昇温させる場合とでは、最適な乾燥制御が異なるためである。即ち、一般的に同重量の洗濯物でも、乾いた状態よりも湿った状態の方が嵩が減少するため、大重量の湿った洗濯物と小重量の乾いた洗濯物が回転槽内で同じ体積を占める場合、同じ風量を検出し、それぞれに最適な乾燥制御を実施できなくなる課題があった。
【０００５】
本発明は、前記従来の課題を解決するもので、無用な騒音の発生や、エネルギーの消費を抑制し、効率的にプレ乾燥することを目的とする。
【課題を解決するための手段】
【０００６】
前記従来の課題を解決するために、本発明の洗濯乾燥機は、洗濯水を溜める水槽と、前記水槽内に回転可能に配設された回転槽と、前記回転槽を駆動するモータと、前記水槽の下部に設けられた排水口と、洗濯物を乾燥させるための乾燥手段と、温風を前記回転槽内に送風する送風手段と、洗い、すすぎ、脱水、乾燥の一連の工程の洗濯乾燥動作を制御する制御手段と、を備え、前記制御手段は、洗い工程に先立ち前記乾燥手段により前記回転槽内の洗濯物に温風を送風するプレ乾燥工程を有し、前記プレ乾燥工程時の前記送風手段の回転数を、洗濯から乾燥まで連続的に行う場合の乾燥工程の前記送風手段の回転数よりも低く設定するものである。
【０００７】
このような構成によって、無用な騒音の発生や、エネルギーの消費を抑制し、効率的にプレ乾燥することができる。
【発明の効果】
【０００８】
本発明の洗濯乾燥機は、無用な騒音の発生や、エネルギーの消費を抑制し、効率的にプレ乾燥することができる。
【図面の簡単な説明】
【０００９】
【図１】本発明の実施の形態１における洗濯乾燥機の概略構造を示す断面図
【図２】本発明の実施の形態１における洗濯乾燥機の動作を示すタイムチャートであり、（ａ）は、「洗濯〜乾燥」運転時のタイムチャート、（ｂ）は、「プレ乾燥〜脱水」運転時のタイムチャート
【発明を実施するための形態】
【００１０】
第１の発明は、洗濯水を溜める水槽と、前記水槽内に回転可能に配設された回転槽と、前記回転槽を駆動するモータと、前記水槽の下部に設けられた排水口と、洗濯物を乾燥させるための乾燥手段と、温風を前記回転槽内に送風する送風手段と、洗い、すすぎ、脱水、乾燥の一連の工程の洗濯乾燥動作を制御する制御手段と、を備え、前記制御手段は、洗い工程に先立ち前記乾燥手段により前記回転槽内の洗濯物に温風を送風するプレ乾燥工程を有し、前記プレ乾燥工程時の前記送風手段の回転数を、洗濯から乾燥まで連続的に行う場合の乾燥工程の前記送風手段の回転数よりも低く設定することにより、無用な騒音の発生や、エネルギーの消費を抑制し、効率的にプレ乾燥することができる。
【００１１】
第２の発明は、洗濯水を溜める水槽と、前記水槽内に回転可能に配設された回転槽と、前記回転槽を駆動するモータと、前記水槽の下部に設けられた排水口と、洗濯物を乾燥させるための乾燥手段と、温風を回転槽内に送風する送風手段と、洗い、すすぎ、脱水、乾燥の一連の工程の洗濯乾燥動作を制御する制御手段と、を備え、前記制御手段は、洗い工程に先立ち前記乾燥手段により前記回転槽内の洗濯物を温風を送風するプレ乾燥工程を有し、前記プレ乾燥工程時の前記送風手段の回転数を、乾燥工程のみを単独に行う場合の前記送風手段の回転数と略同じに設定することにより、無用な騒音の発生や、エネルギーの消費を抑制し、効率的にプレ乾燥することができる。
【００１２】
以下、本発明の実施の形態に係る洗濯乾燥機について、図面を参照しながら説明する。なお、以下の実施の形態は、本発明を具体化した一例であって、本発明の技術的範囲を限定するものではない。
【００１３】
（実施の形態１）
以下、本発明の実施の形態１について、図面を参照しながら説明する。図１は、本発明の実施の形態１における洗濯乾燥機の概略構造を示す断面図である。図２は、本発明の実施の形態１における洗濯乾燥機の動作を示すタイムチャートである。
【００１４】
図１において、筐体１内に有底円筒形に形成された水槽２が弾性的に支持されている。水槽２内に有底円筒形に形成された回転槽４が回転可能に配設されている。回転槽４の回転軸心１０は、回転槽４の円筒形の中心線とほぼ一致しており、水槽２の円筒形の中心線ともほぼ一致している。
【００１５】
水槽２および回転槽４は、前面側に各々、開口部５、６が設けられている。水槽２の開口部５側を筐体１の正面側にして、回転槽４の回転軸心１０が水平方向から前上がりに傾斜（例えば、１０〜２０度）されて支持されている。回転軸心１０が前上がりに傾斜することで、少量の水で回転槽４の底部１１側に深い貯水状態が得られ、節水性を向上することができる。しかし、節水性を考慮しなければ、回転軸心１０は水平であってもよい。
【００１６】
水槽２の開口部５および回転槽４の開口部６に対向して、筐体１の前面に開閉自在な扉体７が設けられている。使用者は、扉体７を開くことにより、回転槽４に対して洗濯物を出し入れすることができる。なお、水槽２の開口部５の周囲には、柔軟な、例えばラバー等の弾性体によって成形されたベローズ８が配設されている。扉体７が閉じられると、扉体７の内面にベローズ８の一端が圧接し、開口部５と扉体７がシールされる。
【００１７】
水槽２の開口部５と反対側の端面には、回転槽４を回転駆動するモータ９が取り付けられている。モータ９のロータは、回転槽４の回転軸心１０で回転槽４と連結されており、モータ９の回転は回転軸心１０によって回転槽４に伝達される。回転槽４の周壁には、複
数の突起体１２が回転軸心１０に向かって突出して設けられている。回転槽４が回転することにより、洗濯物が突起体１２で引っ掛けられて上方に持ち上げられ、ある程度の高さから落下させるといった撹拌動作が行われる。
【００１８】
回転槽４の周壁には、小孔１３が全周にわたって複数設けられており、水槽２内の洗濯水が所定の水位に溜まると、小孔１３から回転槽４内に洗濯水が入ってくるように構成されている。
【００１９】
水槽２の上方には、洗剤を収容する洗剤容器１４が設けられている。洗剤容器１４は、水道の蛇口と接続されている給水弁１５に接続されており、給水弁１５の開閉によって洗剤容器１４への水道水の供給と停止が行われる。
【００２０】
水槽２の内底下部には、凹形状の排水溝３が設けられる。排水溝３の底部かつ水槽２の最下点近傍には、水槽２内の洗濯水を排出する排水口１７が設けられ、また排水口１７から排出される洗浄水を筐体１の外へと導く排水経路１８が設けられている。排水経路１８の途中には、排水経路１８を開閉する排水弁１９が設けられている。
【００２１】
排水溝３には、洗濯水を加熱するヒータ３ａが設けられており、所望温度に洗濯水を加熱することができる。
【００２２】
水槽２は、洗濯物を乾燥する乾燥手段と連通しており、乾燥手段は、送風手段である乾燥ファン２０および除湿加熱手段２１からなる。乾燥工程においては、乾燥ファン２０の作用により、除湿加熱手段２１で除湿され、加熱されて乾燥した温風が、水槽２の背面の上部の位置に設けた送風口２３から、水槽２および回転槽４の内側に向けて図１に矢印ａに示す通りに噴出する。その後、乾燥した温風は、回転槽４内の洗濯物と熱交換して洗濯物を乾燥した後、湿った低温の状態となって、水槽２の前方上部に設けた排気口２４から図１に矢印ｂに示す通りに除湿加熱手段２１に戻り、除湿された後、再度加熱される。この循環を繰り返す。また、乾燥工程において洗濯物から発生した糸屑は、着脱可能な乾燥フィルタ２２により回収され、使用者により廃棄される。
【００２３】
なお、送風口２３は、水槽２の背面の上部に形成しているが、水槽２の背面の上半分のいずれかの位置に形成していればよい。また、送風口２３は、回転槽４の開口部６の周縁の上部に形成してもよく、開口部６周縁の上半分のいずれかの位置に形成してもよい。
【００２４】
筐体１内には、ヒータ３ａ、モータ９、給水弁１５、排水弁１９、乾燥ファン２０等を制御し、洗い、すすぎ、脱水、乾燥の各工程の動作を設定されたプログラムに基づいて制御する制御手段２５が設けられている。
【００２５】
以上のように構成された洗濯乾燥機について、以下、その動作、作用を説明する。図２は、本発明の実施の形態１における洗濯乾燥機の動作を示すタイムチャートである。
【００２６】
図２（ａ）は、「洗濯〜乾燥」運転が選ばれた場合の洗濯乾燥機の動作を示すタイムチャートである。使用者が、扉体７を開いて、回転槽４内に洗濯物を投入して運転を開始すると、制御手段２５は、洗い工程を開始し、投入された洗濯物の量を検知する。その後、給水弁１５を開き、洗濯水が洗剤容器１４内に貯蔵された洗濯洗剤を溶かして、洗濯水が水槽２内に給水される。
【００２７】
水槽２内に溜められる洗濯水は、水槽２の下部と連通した水位検知手段１６によって検知される。洗濯物の量に応じて設定された水量が溜められると、制御手段２５は、給水を停止する。回転槽４は、モータ９によって正逆回転駆動され、回転槽４内に収容された洗
濯物は、突起体１２により回転方向に持ち上げられた後、落下し、洗濯物は、叩き洗いの作用によって洗浄される。
【００２８】
所定の洗い時間が経過すると、排水弁１９が開かれ、水槽２内の洗濯水は排水経路１８を通して排水される。排水完了後、新たにすすぎ用の洗濯水が給水されてすすぎ工程を開始する。すすぎ工程における回転槽４の動作は、洗い工程と同様である。
【００２９】
所定回数のすすぎ工程が終了すると、脱水工程を開始し、排水弁１９を開いて水槽２内のすすぎ用の洗濯水が排水される。回転槽４が高速で回転して、洗濯物に含まれているすすぎ用の洗濯水が脱水される。脱水工程を所定時間実行して運転を終了する。なお、「洗濯〜乾燥」運転が選ばれた場合は、脱水工程に続いて乾燥工程を実行する。
【００３０】
図２（ｂ）は、「洗濯〜脱水」運転に先立ち、ダニ等を除去するプレ乾燥運転が選ばれた場合の洗濯乾燥機の動作を示すタイムチャートである。使用者が、扉体７を開いて、回転槽４内に洗濯物を投入して運転を開始すると、制御手段２５は、プレ乾燥工程を開始する。プレ乾燥工程では、乾燥ファン２０及び除湿加熱手段２１が作動して乾燥した温風が水槽２及び回転槽４内に供給される。
【００３１】
所定時間のプレ乾燥時間が経過すると、洗い工程を開始する。以下は、図２（ａ）の説明と同様であるので、説明を省略する。
【００３２】
本発明の実施の形態では、プレ乾燥工程における乾燥ファン２０の回転数は、洗濯〜乾燥連続運転時における乾燥工程の乾燥ファン２０の回転数より低く設定されている。また、プレ乾燥工程における乾燥ファン２０の回転数は、乾燥運転のみの乾燥工程時の乾燥ファン２０の回転数とほぼ同等に設定されている。
【００３３】
本実施の形態では、例えば、プレ乾燥工程時の乾燥ファン２０の回転数は、４３００ｒｐｍに設定され、洗濯〜乾燥連続運転の乾燥工程時の乾燥ファン２０の回転数は、４８００ｒｐｍに設定され、乾燥運転のみの乾燥工程時の乾燥ファン２０の回転数は、４３００ｒｐｍに設定されている。
【００３４】
プレ乾燥工程においては、乾いた洗濯物、例えば、毛布等が投入されるが、乾いた洗濯物であるため、嵩高く、洗濯物間や、洗濯物と回転槽４との間に大きく隙間が生じ、乾燥ファン２０による温風が通過しやすい環境となっている。
【００３５】
また、洗濯物は、乾いているために低いファン回転数でも、布の表面だけでなく、奥まった部分（重なった部分）や折り畳まれた部分、および繊維の奥まで温風が行き渡る。
【００３６】
このため、プレ乾燥工程においては、乾燥ファン２０の回転数を低く設定している。これにより、騒音と消費電力を抑制することができる。
【００３７】
洗濯〜乾燥連続運転の乾燥工程時では、洗濯物は湿った状態であり、洗濯物同士が収縮しており、かつ直前の脱水工程で回転槽４の高速回転による遠心力で脱水されることで、洗濯物間に隙間が少ない状態となっており、乾燥ファン２０による温風が通過しにくい環境となっている。
【００３８】
このため、洗濯〜乾燥連続運転の乾燥工程時では、乾燥ファン２０からの風量を大きくしなければ、洗濯物全体に温風が行き渡らず、洗濯物の表面しか乾かない。また、湿っているので、奥まった部分（重なった部分）や折り畳まれた部分、および繊維の奥まで温風を行き渡らせるには、乾燥ファン２０の回転数を高くする必要がある。
【００３９】
乾燥運転のみの乾燥工程時を使用者が選択する場合には、十分に乾いていない湿った状態の洗濯物を乾燥する際に選択されることが推測される。この状態の洗濯物は、湿ってはいるが、洗濯〜乾燥連続運転の乾燥工程時の洗濯物よりもよりは乾いた状態であることが推測される。
【００４０】
また、乾燥運転のみの乾燥工程時を使用する場合には、使用者が洗濯物を投入して運転が開始されるため、洗濯から乾燥まで連続的に運転し、回転槽４の高速回転による遠心力で脱水された状態の洗濯物よりも嵩高く、洗濯物間や、洗濯物と回転槽４との間に大きく隙間が生じ、乾燥ファン２０による温風が通過しやすい環境となっている。
【００４１】
このため、乾燥ファン２０の風量が低い状態でも、布の表面だけでなく、奥まった部分（重なった部分）や折り畳まれた部分、および繊維の奥まで温風が行き渡る。
【００４２】
このため、乾燥運転のみの乾燥工程においては、プレ乾燥工程と同様に、乾燥ファン２０の回転数を低く設定している。これにより、騒音と消費電力を抑制することができる。
【００４３】
なお、本実施の形態では、乾燥手段は、送風手段である乾燥ファン２０および除湿加熱手段２１とから構成したが、乾燥ファンなどの送風手段と、ヒータなどの加熱手段から構成してもよい。
【産業上の利用可能性】
【００４４】
以上のように、本発明にかかる洗濯乾燥機は、騒音と消費電力を抑制することができるので、家庭用のみならず、業務用の洗濯乾燥機に採用することができる。
【符号の説明】
【００４５】
１  筐体
２  水槽
３  排水溝
３ａ  ヒータ
４  回転槽
５、６  開口部
７  扉体
８  ベローズ
９  モータ
１０  回転軸心
１１  底部
１２  突起体
１３  小孔
１４  洗剤容器
１５  給水弁
１６  水位検知手段
１７  排水口
１８  排水経路
１９  排水弁
２０  乾燥ファン
２１  除湿加熱手段
２２  乾燥フィルタ
２３  送風口
２４  排気口
２５  制御手段
【図１】
2018042595.tif 000003
【図２】
2018042595.tif 000004